Podtech/llm-jp-corpus-v4-ja_patent huggingface dataset:
(57)【要約】【課題】    トランプに、漢数字や漢字を用い色分けをした、和風トランプを提供する。【解決手段】  色分けの枠（１）と漢数字、漢字（３）に色をつけ、種類分けの漢字を設けた和風トランプを特徴とする。【選択図】    図１
2006271917.tif 000002
【特許請求の範囲】
【請求項１】
色分けの枠（１）と内側の漢数字及び漢字（３）に色彩を加え、種類分けの漢字（２）を設けた和風トランプ。
【発明の詳細な説明】
【技術分野】
【０００１】    この発明は、トランプに漢数字と漢字を用い色分けをした、カードゲームで和風トランプに関するものである。
【背景技術】
【０００２】    従来、トランプは洋式のものしかなく和式のものはなかった。
【発明が解決しようとする課題】
【０００３】    これは次のような欠点があった。
従来、トランプの裏のデザインは、洋風で表のデザインを和風にすると、違和感があった。又カードの色は単色で、数字の文字も小さいものもあり、視力の悪い方には、識別しにくかった。
本発明は、以上のような欠点をなくすためになされたものである。
【課題を解決するための手段】
【０００４】  色分けの枠（１）と漢数字、漢字（３）に色彩を加え、種類分けの漢字（２）を設ける。
【発明の効果】
【０００５】  漢字用い色分けをする事によって、わかりやすく識別できるようになる。カードの表のデザインに和柄を用いることができる。
戻、飛、変、無、神、鬼、という漢字を記入した、カードを付け加える事によって、従来のトランプゲームに加えて、新しい遊びを提供できる。
色分けをする事によってウノのような遊びができるようになる。また、麻雀ゲームのようなあそびもできるようになります。
【発明を実施するための最良の形態】
【０００６】  以下、本発明を実施するための最良の形態について説明する。
カードに色分けの枠（１）を設け、円の中に種類分けの漢字（２）を記入し、カードの内側に漢数字、漢字（３）を用い、色分けの枠（１）と内側の漢数字、漢字（３）に赤、青、緑、白、黄色、黒の色分けの色をつける。
本発明は、以上のような構造で、これを使用するときは、トランプゲームやウノなどのカードゲームとして用いればいい。
【図面の簡単な説明】
【０００７】
【図１】  本発明のカード１枚の説明図である。
【図２】  本発明の朱雀のカードの一覧を示した説明図である。
【図３】  本発明の青龍のカードの一覧を示した説明図である。
【図４】  本発明の白虎のカードの一覧を示した説明図である。
【図５】  本発明の玄武のカードの一覧を示した説明図である。
【図６】  本発明の神と鬼のカードの一覧を示した説明図である。
【符号の説明】
【０００８】  １  色分けの枠
２  種類分けの漢字
３  漢数字、漢字
【図１】
2006271917.tif 000003
【図２】
2006271917.tif 000004
【図３】
2006271917.tif 000005
【図４】
2006271917.tif 000006
【図５】
2006271917.tif 000007
【図６】
2006271917.tif 000008
(57)【要約】      （修正有）【課題】足裏に用いる使い捨てカイロに関し、温熱効果並びに指の力が弱く疲れやすい人、歩行のバランスが崩れている人、偏平足、外反母趾、Ｏ脚、Ｘ脚、ひざの痛みなどの足部障害の予防効果を有する足裏に用いる使い捨てカイロを提供する。【解決手段】使い捨てカイロ５の形状を、内側アーチ１、外側アーチ２、横アーチ３等の３つのアーチを軸にした足底板をなす形状として、土踏まずに貼り付ける。足部の発熱体の形状には、つま先用、かかと用があるが、つま先用には足指が蒸れる、カカト用には足の甲が高くなり靴が履きづらいというような難点があるが、本体は土踏まずに装着するため難点は解消される。更に足部中央には湧泉という冷えに効果のあるツボがあり血液の循環を促進する。【選択図】図１
2006271915.tif 000002
【特許請求の範囲】
【請求項１】
使い捨てカイロを、足底板の形状に設けることを特徴とする足底板型使い捨てカイロ。
【請求項２】
前記足底板は、使い捨てカイロを、内側・外側・横と３つのアーチを軸とした足底板（土踏まずに装着する）の形状に設け、衣類の上から貼れることを特徴とする請求項１記載の足底板型使い捨てカイロ。
【発明の詳細な説明】
【技術分野】
【０００１】この発明は、足の裏（土踏まず）に用いる使い捨てカイロに関する。
【背景技術】
【０００２】従来、足部用として使用されている使い捨てカイロの種類には、つま先用・カカト用・或は土踏まず用があっても、何れも温熱効果のみを期待するものばかりで、足部障害（偏平足・Ｏ脚・Ｘ脚・外反母趾・ヒザの痛みなど）の予防を出来るものがない。
【発明の開示】
【発明が解決しようとする課題】
【０００３】しかしながら、以上の技術によれば、この発明は使い捨てカイロの形状を内側・外側・横の３つのアーチを軸とする足底板の形状に変形することで、足部障害（偏平足・Ｏ脚・Ｘ脚・外反母趾・ヒザの痛みなど）の予防と温熱効果を提供することを課題とする。【０００４】以上の課題を解決するために、第一発明は使い捨てカイロを，、足底板の形状に設けることを特徴とする足底板型使い捨てカイロである。
また、第二発明は前記足底板は、使い捨てカイロを，、内側・外側・横の３つのアーチを軸とした足底板（土踏まずに装着する足底板）の形状に設け、衣類の上から貼れることを特徴とする足底板型使い捨てカイロである。
【発明の効果】
【０００５】第一発明、または第二発明によれば、使い捨てカイロを足底板の形状に設けたので、カイロの温熱効果で血液循環が促進されるのと、内側・外側・横の３つのアーチを軸とした足底板の形状によって▲１▼内側のアーチは足が内側に傾くのを防ぎ、親指をしっかり使え、強い蹴り出しが可能になり、▲２▼外側のアーチは足が外側に傾くのを防ぎ、小指を開かせることで、指全体に力がかかるようになり、かかとから親指まで正しい体重移動を促進し、▲３▼横のアーチは足の中央部分にあるアーチを支えることにより足指の機能が高められ、踏み込みが強くなり、効率のよい蹴り出しが出来る。この３つのアーチが、指の力が弱く、疲れやすい人・歩行のバランスが崩れている人・偏平足・外反母趾・Ｏ脚・Ｘ脚・ヒザの痛みなどの足部障害を予防する効果がある。
【発明を実施するための最良の形態】
【０００６】この発明の一実施形態を図１に示す。
足底板型使い捨てカイロの本体は発熱体であり、この本体は使い捨てカイロと足底板が一体的に設けられている。形状は▲１▼内側のアーチ▲２▼外側のアーチ▲３▼横のアーチの３つの軸によるアーチが設けられている。足接着部には衣類の上から貼れるように粘着素材になっている。大きさは個々の足のサイズに合わせて、ＳＳサイズ２２・０〜２３・０ｃｍ  Ｓサイズ２３・５〜２４・５ｃｍ  Ｍサイズ２５・０〜２６・０ｃｍ  Ｌサイズ２６・５〜２７・５ｃｍと設定する。本体を土踏まず部に装着すると、図２のように指先からカカトまで水平になる。
「実施形態の効果」【０００７】この実施形態によれば、土踏まずに装着する足底板には、▲１▼内側のアーチは足が内側に傾くのを防ぎ、親指をしっかり使え、強い蹴り出しが可能になり、▲２▼外側のアーチは足が外側に傾くのを防ぎ、小指を開かせることで、指全体に力がかかるようになり、かかとから親指まで正しい体重移動を促進し、▲３▼横のアーチは足の中央部分にあるアーチを支えることにより、足指の機能が高められ、踏み込みが強くなり、効率のよい蹴り出しが出来る。この３つのアーチが、指の力が弱く、疲れやすい人・歩行のバランスが崩れている人・偏平足・外反母趾・Ｏ脚・Ｘ脚によりカカトやヒザに負担のかかる人などの足部障害を予防する。この足底板と発熱体の温熱効果を一体化することで足部の血液循環を促進しながら運動機能が向上する。【０００８】足底板とは、脚の矯正に使用される靴の中敷のようなもので、使用時間が長ければ長いほど効果が認められている。足底板を使用することで、足元が矯正され、安定感が出るため、足部周辺の筋緊張が無くなり、骨盤から背骨への不自然なねじれも改善する。【０００９】使い捨てカイロの形状には、つま先用・カカト用・或は土踏まず用などあるが、何れも温熱効果を期待するものばかりである。近年女性の水虫が多くなり、つま先用では足指が蒸れたり、カカト用では足の甲が高くなり靴が履きづらいという難点がある。しかし、この発明では土踏まず部分に装着するので難点は解消され、更に足底板の効果も含まれるため同時に運動機能の向上にもなる。
【図面の簡単な説明】
【００１０】
【図１】この発明の一実施形態を示す裏視図である。
【図２】この発明の側面図である。
【図３】従来技術の土踏まず用使い捨てカイロの形状を示す裏視図である。
【符号の説明】
【００１１】▲１▼内側アーチ          ▲２▼外側アーチ          ▲３▼横アーチ
▲４▼粘着テープ          ▲５▼カイロ（発熱体）
【図１】
2006271915.tif 000003
【図２】
2006271915.tif 000004
【図３】
2006271915.tif 000005
(57)【要約】【課題】内視鏡または極細型カメラの方向を自由に修正することによって、短時間で目的とする観察物の開口部に内視鏡または極細型カメラを誘導できる。【解決手段】ステンレス管に内視鏡または極細型カメラを挿入し、ステンレス管の屈曲部が狭小化しない内視鏡または極細型カメラ誘導用ステンレス管を作成する。【選択図】図２
2006271914.tif 000002
【特許請求の範囲】
【請求項１】
ステンレス管の内腔を狭小化することなく屈曲させるために、屈曲部分を一部開放した内視鏡または極細型カメラ誘導用ステンレス管。
【発明の詳細な説明】
【技術分野】
【０００１】  この発明は、内視鏡または極細型カメラ誘導用ステンレス管に関するものである。
【背景技術】
【０００２】  従来、内視鏡または極細型カメラを見えにくい部位に開口部がある物体に誘導し、さらに開口部より奥深くまで内視鏡または極細型カメラを進めて目的とする対象を観察し、撮影することは極めて難しく、有効な方法がなかった。
【発明の開示】
【発明が解決しようとする課題】
【０００３】  これは次のような欠点があった。
（イ）可動式内視鏡または極細型カメラは、目視できない部位に小さな開口部がある物体内の観察および撮影に際し、重力に逆らって内視鏡または極細型カメラを観察物の開口部まで誘導することは、内視鏡または極細型カメラの配線部が軟らかすぎて、方向を定めることができなかった。
（ロ）そのため開口部が直接目視できない部位にあるとき、開口部に到達することに長時間を要した。
（ハ）ステンレス管を用いて内視鏡または極細型カメラを観察物の開口部まで誘導するとき、方向を調整するためにステンレス管を屈曲させたいとき内腔が狭くなり、ステンレス管内での内視鏡または極細型カメラの移動が制限されがちであった。
（ニ）本発明は、これらの欠点を除くためになされたものである。
【課題を解決するための手段】
【０００４】  本発明は、可動性の既存の内視鏡または極細型カメラをステンレス管内腔に挿入し、内視鏡または極細型カメラの方向性を任意に変えることができ、しかも内腔が狭小化することがないため、内視鏡または極細型カメラを目的とする対象まで進めて近づけることができることを最も主要な特徴とする。
本発明は、以上のような構成よりなる内視鏡または極細型カメラ誘導用ステンレス管である。
【発明の効果】
【０００５】  ステンレス管内に内視鏡または極細型カメラを先端部まで挿入して準備する。ステンレス管先端部を任意に屈曲させ、ステンレス管を持って開口部をモニターで観察しながらステンレス管を開口部に誘導する。先端が屈曲可能であるため方向を調節しやすい。モニター上の映像と目視によってステンレス管先端部の位置と方向を修正し、短時間で目的とする開口部に挿入することができる。ステンレス管の内腔は狭小化しないため内視鏡または極細型カメラをステンレス管内で自由に移動することができる。
【発明を実施するための最良の形態】
【０００６】  以下、本案の実施の形態について説明する。
（イ）ステンレス管の屈曲予定部位をくりぬき、ステンレス管は屈曲部を残して２分している。
（ロ）ステンレス管の長さは目的に合わせて任意である。
（ハ）ステンレス管先端まで内視鏡または極細型カメラを挿入し、屈曲部を目的に合わせた角度に屈曲する。モニター上で映像を観察しながら、観察物の開口部に先端を挿入する。
【図面の簡単な説明】
【０００７】
【図１】本発明の平面図である。
【図２】本発明の斜視図である。
【符号の説明】
【０００８】  １  ステンレス管
２  開口部
【図１】
2006271914.tif 000003
【図２】
2006271914.tif 000004
(57)【要約】【課題】女性が公衆浴場や温泉施設での入浴時や、プールでの水泳時や海水浴時等に、生理用タンポンの装着をわかりにくくするための生理用タンポンを提供する。【解決手段】生理用タンポン吸収体に接続する取り出し紐を、女性の陰毛に近い黒系統に着色し、かつ、該取り出し紐の先端から適宜な長さを螺旋形状等に歪曲加工したことを特徴とする。【選択図】  図１
2006271919.tif 000002
【特許請求の範囲】
【請求項１】
生理用タンポン吸収体に接続する取り出し紐を、女性の陰毛に近い黒系統に着色し、かつ、該取り出し紐の先端から適宜な長さを螺旋形状等に歪曲加工したことを特徴とする生理用タンポン。
【発明の詳細な説明】
【技術分野】
【０００１】  本発明は、女性が公衆浴場や温泉施設での入浴時や、プールでの水泳時や海水浴時等に、生理用タンポンの装着を分かりにくくするための生理用タンポンに関するものである。
【背景技術】
【０００２】  従来、女性は生理時の入浴の際は、タンポン吸収体に接続する白い直線の取り出し紐を体外に垂れ下げていた。また、プールでの水泳時や海水浴時等に、水着より白い紐がはみ出すことがあった。それを隠すためには、取り出し紐を短く切ったり、紐を体内に入れたりしなければならなかった。
【発明の開示】
【発明が解決しようとする課題】
【０００３】  そのために次のような問題点があった。
（イ）取り出し紐を短くすると、タンポン吸収体が取り出しにくくなった。
（ロ）取り出し紐を体内に入れると、紐に血液が付着し、不潔であった。
（ハ）女性は、生理中に入浴する時や水泳する時等は、生理用タンポンを挿入したままで、入浴や水泳を行っているが、白い取り出し紐を体外へ垂れ下げていることは、著しく恥ずかしさを伴った。
本発明は、以上の問題点を解決するためのものである。
【課題を解決するための手段】
【０００４】  生理用タンポン吸収体に接続する取り出し紐を、女性の陰毛に近い黒系統に着色し、かつ、該取り出し紐の先端から適宜な長さを螺旋形状等に歪曲加工したことを特徴とする生理用タンポンである。
【発明の効果】
【０００５】  本発明は、女性が生理中であっても、生理用タンポンの取り出し紐が、女性陰毛と同色系統に着色され、さらに同様形態に成型されているので、取り出し紐を体外へ露出していてもカモフラージュでき、恥ずかしさを感じることなく、公衆浴場や温泉施設での入浴、プールでの水泳や海水浴等をより自由に楽に行える。したがって、取り出し紐を気にしたり、隠したりするわずらわしさがない。
引き出し部が螺旋加工に施され収縮するので、アプリケーターに内蔵できる。また、吸収体に近い挿入部の取り出し紐は、直線状なのでフィンガータイプによる装着もできる。
【発明を実施するための最良の形態】
【０００６】  以下、本発明の実施の形態について説明する。
（イ）吸収体（１）に接続する取り出し紐（２）を黒系統に着色する。黒系統とは、女性陰毛に近い色の、黒、茶、薄茶等である。
（ロ）吸収体（１）と取り出し紐（２）の一部で、長さ９〜１０ｃｍの挿入部（３）を構成する。
（ハ）取り出し紐（２）の末端までの残り部分を、髪型に用いるようなパーマネントウェーブのような癖がつくように螺旋加工を施した、引き出し部（４）を構成する。
本発明は、以上の構成よりなっている。これを使用するときは、取り出し部（４）は外部に露出するようにしながら、挿入部（１）を女性の膣内に挿入する。また、アプリケーター（５）に内蔵して、挿入することもできる。
【図面の簡単な説明】
【０００７】
【図１】本発明の斜視図
【図２】本発明のアプリケーター内臓時の側面図
【図３】本発明の装着状態を示す使用説明図
【符号の説明】
【０００８】１  吸収体
２  取り出し紐
３  挿入部
４  引き出し部
５  アプリケーター
６  女体
７  陰毛
【図１】
2006271919.tif 000003
【図２】
2006271919.tif 000004
【図３】
2006271919.tif 000005
(57)【要約】【課題】ビンゴゲームの組み合わせ数字を音楽記号として、ゲームを楽しみながら音楽記号の記憶に役立つビンゴゲームを提供する。【解決手段】広く使われている数字を使ったビンゴゲームに対し、合わせる数字を音楽記号にしたもの。【選択図】  図３ｂ
2006271942.tif 000002
【特許請求の範囲】
【請求項１】
数字合わせのビンゴゲームにおいて、数字を音楽用記号として、音楽記号合わせのゲームを行いながら、音楽記号を覚えられるようにしたことを特徴とするビンゴゲーム。
【発明の詳細な説明】
【技術分野】
【０００１】  本発明は、パーティー等の余興で行われるビンゴゲームに関する。
【背景技術】
【０００２】  パーティー等の余興で行われるビンゴゲームは、数字を記述した参加者用カードと、それらのカードに記述された数字を順次公表するための司会者用のカードや玉を使用する。参加者用カードは、例えば５行Ｘ５列の２５個の数字が記述されており、これらは例えば１から７５までの数字の内の２５個を任意に配置してあり、参加者の各自の持つカードは全て異なったものとしておく。【０００３】  ゲームは次のように進行する。まず司会者が前記司会者用カードや玉の数字を順次公表する。すなわち１から７５までの数字をランダムに公表する。数字が公表されるたびに、参加者は公表された数字をチェックしていく。たて列、横列、斜め列のいずれかにチェックが早くそろうかによって順位を決める。そして順位に応じて景品等を選択する。【０００４】  このように単純ながらも比較的長い時間楽しめるゲームであるため、老若男女を問わず楽しむことができ、特に子供たちには大変人気があるゲームである。
【発明の開示】
【発明が解決しようとする課題】
【０００５】  従来のビンゴゲームは数字を合わせることに集中するゲームであるが、この集中力を音楽記号の暗記に利用、活用することは考慮されていなかった。【０００６】  本発明は、多くの人々に楽しまれるゲームへの集中力を活用して、音楽記号の暗記を容易にするビンゴゲームを提供することを目的とするものである。
【課題を解決するための手段】
【０００７】  本発明は、上記目的を達成するためにビンゴゲームに使用する数字を音楽記号で表示するようにしたものである。
【発明の効果】
【０００８】  ゲームに集中することで音楽記号に注視するため、ゲームを楽しむと共に音楽記号を覚えることができる。
【発明を実施するために最良の形態】
【０００９】  本発明の具体的な実施形態を、参加者用カードが４行×４列の場合を例に説明する。
【００１０】  図１は、実施形態で使用する音楽記号の一覧の例を示し、本例では４８種類の記号を使用する。各記号の左上の数字は各記号をカードに割り付けるときに参考とするものである。
【００１１】  なお使用する音楽記号の種類、数及び配列は本一覧の例に限らず、行と列の数や参加者の人数、レベルに合わせて決定することができる。少なくとも１枚の参加者用カード中に、同じ記号が無いように、またそれらの配列が各参加者用で異なるようにしておけばよい。
【００１２】  図２ａおよび図２ｂは、参加者用カードに記述する音楽記号を割り付けるために、前記数字によって表した割付表の例を分割して示す。
【００１３】  図３ａは、図２ａ及び図２ｂに示す割付表の００１番から００６番に対応した参加者用カードの例で割付番号を併記したもの、図３ｂは割付番号を併記しないものを示す。
【００１４】  本例では、実際にゲームを行うときは００１番から０４８番に対応したカードを作成し、参加者に自分のカードを選択してもらう。
【００１５】  司会者用カードや玉は、とくに図示しないが、図１に示す記号を公表するのに必要な大きさのカードや玉に音楽記号を記述しておく。
【００１６】  ゲームのやり方は従来のビンゴゲームと同じで、司会者が前記カードや玉を順次取り出し選択した記号を参加者に見えるように公表し、参加者は公表された記号を各自のカードでチェックしていくことでゲームを進行していく。このようにして参加者は音楽記号に注視してゲームをすることで、ゲームを楽しむと共に、音楽記号を覚えることができる。
【図面の簡単な説明】
【００１７】
【図１】  本発明で使用する音楽記号の一覧の例を示す。
【図２ａ】  本発明で使用する音楽記号を各カードに割り付けるための一覧表の一部を示す。
【図２ｂ】  〔図２ａ〕の他の部分を示す。
【図３ａ】  本発明のゲーム参加者用カードの一例を示す。各記号マスの左上の数字は図１の音楽記号と、図２ａ、２ｂの割付表との関係を示すものである。
【図３ｂ】  本発明のゲーム参加者用カードの他の例を示す。図３ａに示したカードに対し、割付数字の無いものである。
【図１】
2006271942.tif 000003
【図２ａ】
2006271942.tif 000004
【図２ｂ】
2006271942.tif 000005
【図３ａ】
2006271942.tif 000006
【図３ｂ】
2006271942.tif 000007
(57)【要約】      （修正有）【課題】従来の毛布、タオルケット等は、体にかけるだけのものであったため、冷え症の人等には、足が冷たかった。【解決手段】毛布の足元にヒザ上あたりまで足が入るポケットを付ける事により足が冷えない。【選択図】なし【特許請求の範囲】
【請求項１】
足のヒザ上位まで入るポケットのついた毛布、タオルケット。
【発明の詳細な説明】
【持術分野】
【０００１】  本発明は、足が冷えない毛布に関する。
〔背景技術〕
【０００２】  従来の毛布は体にかけるだけのものであった。
〔発明の開示〕
〔発明が解決しょうとする課題〕
【０００３】  従来の毛布では足は冷たいままであった。特に冷え性の人は。
【０００４】  本発明は、このような毛布が有していた問題を解決しょうとするものである。
〔課題を解決する手段〕
【０００５】  上記目的を達するために、ヒザ上あたりまで入るポケットを毛布の足元に付ける。
〔発明の効果〕
【０００６】  上述のように足をポケット状のものに入れることで足を冷えから守れる。
〔発明を実施するための最良の形態〕
【０００７】  ポケット部分は取り外し可能なものが良い。
(57)【要約】      （修正有）【課題】  老化現象とともに膝が曲り（Ｏ脚）膝がのびない為寝ていて足がよく吊れる。膝のうらに隙間ができた為におこる現象です。睡眠時に足．膝が痛くて寝むれなく、朝起きた時に歩き出しに膝が痛む、等がおこる。【解決手段】  寝た時に膝のうらに隙間がある為自分の足の重みや布団、モーフ等の重みが加わる為、さらに悪化し痛みとなる。この膝のうらに柔らかな膝枕を入れてあげることにより痛みが無く良く寝れ又朝起きた時痛みなく動くことができる。【選択図】図５
2006271948.tif 000002
【特許請求の範囲】
【請求項１】
私は整体・脊椎矯正を２５年間現在もやって居りますが６０歳を過ぎた患者さんに膝の痛みを訴える方々が多いことに注目し痛みがとれて喜んで頂けるようこの特許願いを請求致します。
【請求項２】
人間は老化と共に骨格に歪みがてきます。４本足から２本足になった為足腰等に負担がかかり変形が始まり睡眠時に疲れを取るところか逆に寝ていて足腰が痛んだり朝起きた時膝が痛い歩くのが辛い！…‥この痛みや辛さを解放しようと考案しました。これからの老齢化時代にもっとも必要品です。
【請求項３】
（１）この膝枕は携帯用に考案したので旅行や病院又は家庭での介護に小さく畳んでどこにでも持っていけるので大変便利です。
（２）この膝枕は自分で風せんみたいに膨らませ、大きさは自由に誰れにでも膝の曲り具合にあわせることが最も狙です。
（３）この膝枕は、寝ながらにしてＯ脚の矯正や冷え症にも大変効果があり沢山の患者様に喜んで頂いて居ります。
【発明の詳細な説明】
【技術分野】
【０００１】本発明は老化現象による膝関節の痛みに悩んでいる方に寝ながらにして痛みをとりながらＯ脚も矯正し又左右の足を固定する為冷症にも効果あります。
〔背景技術〕【０００２】従来の膝枕は医療用（図１）としては、ありますがウレタンの上にレザーでカバーしたもので固定はされず膝のうらに隙間が出き膝うら全体を支えない為長時間の使用は無理で、膝にも負担がかかります。又固定されていない為寝ながらの使用は枕がどこに行くかわからない！
〔発明の開示〕
〔発明が解決しようとする課題〕【０００３】以上に述べた医療用膝枕は我々治療師が膝を治療する時のサポート役をするものであり家庭や介護等には使用としては無理である。
〔課題を解決するための手段〕【０００４】年齢をかさねると膝が歪みＯ脚となり膝のうらが浮いて寝ていても足や膝が痛くて寝むれない又、朝起きた時に膝が痛み歩くのが辛い。この痛みを快勝する枕です。
〔発明の効果〕【０００５】この膝枕は寝ながらにして膝の痛みをとりＯ脚を矯正することにより膝痛の快勝と冷え症の方にも効果があります（足の曲がりをマジックテープで留めることにより血行が良くなり冷え症にも快勝！）【０００６】この膝枕は膝上と膝下をマジックテープで留める為横に寝た時（寝返り）にもずれずに使用できる（エアーを少しぬいているので膝うらにフィットしている）【０００７】この膝枕の狙いは携帯用としたので使用後エアーを抜きどこにでも小さく畳んで持ち運びが出来る。
〔発明の実施するための最良の形態〕【０００８】自分でこの膝枕にエアーを吹込み、７〜８割程度に吹きこんだら膝うらに入れて膝上．膝下とマジックテープで２ヶ所止める
注意することは、膝うらの隙間（浮き具合）にあわせることである【０００９】この膝枕のカバーは、布地で底の部分はベルベット地とする（滑りにくくする）又洗うこともできる【００１０】このカバーによって本体（塩化ビニール）を保護する目的でもあります。
【図面の簡単な説明】
【００１１】〔図１〕医療用として現在使用している。（ウレタンにレザーで巻いた物で硬め）
〔図２〕医療用やクッション等を膝うらに入れても隙間があく為膝うらが疲れて、楽くではない。
〔図３〕本体で塩化ビニールです。
ビーチボールの柔らかさです。
〔図４〕カバーです。布地で底の部分はベルベット地で（すべり止）マジックテープを前後に２本づつ付いてある。
〔図５〕膝うらに総て密着しているので楽々です。（エアーが７〜８割にしてあるので）
〔図６〕Ｏ脚を矯正しながらの使用
【図１】
2006271948.tif 000003
【図２】
2006271948.tif 000004
【図３】
2006271948.tif 000005
【図４】
2006271948.tif 000006
【図５】
2006271948.tif 000007
【図６】
2006271948.tif 000008
(57)【要約】      （修正有）【課題】  油鍋火災において、投げ込み式の消火方法は、炎への恐怖、投入物の跳ね返りの被害があり、消火を確実にするためには素手を炎に近ずけざるを得ず、それを避ければ不確実とならざるを得ない。【解決手段】  保持枠２に張られた湿布１に柄３を取り付けて消火扇とし、遠隔操作に近い状態で扇を使って空気を断ち、油鍋火災の完全消火を可能とする。【選択図】図３
2006271945.tif 000002
【特許請求の範囲】
【請求項１】
湿布（１）に、柄（３）を取りつけた油鍋への引火炎消火扇。
【発明の詳細な説明】
【技術分野】
【０００１】  この発明は、軽量  単純  確実な油鍋への引火炎消火扇に関するものである。
【背景技術】
【０００２】  従来も、油鍋への引火に対する消火措置はある。
【発明の開示】
【発明が解決しようとする課題】
【０００３】  これらには、次のような欠点があった。
（イ）引火した鍋へ外部から、温度を下げるため  または  空気を遮断することを目的にした投入物はある。
（ロ）（イ）を満足するにはいまだ充分ではなく、炎への恐怖  投入物による熱油の跳ね返りによる被害を避けがたい。
本発明は、これらの欠点を除くためになされたものである。
【課題を解決するための手段】
【０００４】湿布（１）を保持枠（２）に張られた状態で固定させ、その保持枠（２）に柄（３）をつけたものである。
本発明は、以上の構成による油鍋引火炎消火扇である。
【発明の効果】
【０００５】本発明は以上の構造で、引火時には消火扇の柄（３）を持ち、油鍋（４）の縁全体に当たるよう湿布（１）を乗せれば完全消火が可能。
【発明を実施するための最良の形態】
【０００６】  以下、本案の実施形態について説明する。
（イ）保持枠（２）に張られた湿布（１）を油鍋（４）の手前から先につけ、順次反対側も乗るよう柄（３）で操作する。
（ロ）（イ）の順序を実施することにより、最初は引火炎（５）が手元より遠のきかつ  引火炎（５）は湿布（１）により大半は隠れ、炎に対する恐怖心は軽減され安全に完全消火が可能。
【図面の簡単な説明】
【０００７】
【図１】  本発明の一部を切り欠いた平面図である。
【図２】  図１の断面図を示す。
【図３】  本案の実施形態を示す。
【符号の説明】
１  湿布      ２  保持枠      ３  柄      ４  油鍋      ５  引火炎
【図１】
2006271945.tif 000003
【図２】
2006271945.tif 000004
【図３】
2006271945.tif 000005
(57)【要約】      （修正有）【課題】山菜取り，ハイキング，魚釣，ハンティング，工事現場の作業員等，野外活動においては，車中で食事をとる事が多い。しかるに車中ではおかず入れを置くスペースがせまく，まして後部座席では膝の上に置かざるをえない。又船泊上では船のゆれでおかず入れが動いてしまったり，野外では地べたに置く事さえあった。この不便さを長年身にしみて感じていたので，本発明はこれ等の課題を解決するためになされたものである。【解決手段】片手でランチジャーとおかず入れ両方を保持出来れば立ったままでも食事が出来ると考え，まずランチジャー本体１に可動式リング５を付け，そこにおかず入れ４をはめて一体化した。更にランチジャー本体１に直接取手２を付け片手で保持出来るようにした。又出来るだけ簡素化するため飯保温ぶたを省き，おかず入れ４を断熱底６とし，ランチジャーの内側の器を省略し，本体に飯を直接入れ更に簡素化に努めた。【選択図】図１
2006271989.tif 000002
【特許請求の範囲】
【請求項１】
（イ）図１のランチジャー本体１に可動式リング５を取付ける。
（ロ）取付方法は図２（平面図）のように水平移動，もしくは（側面図）のように展開移動とする。
【請求項２】
（イ）図１のランチジャー本体に取手２を取付ける。
【請求項３】
（イ）図１のおかず入れ４を６の断熱底とする。
【発明の詳細な説明】
【技術分野】
【０００１】本発明はランチジャーの飯入れとおかず入れを１つに合体し，野外，車中，船舶等でおかず入れを安定かつ場所をとらずに，食事をとれるようにしたものである。
【背景技術】
【０００２】従来は飯入れとおかず入れが一つになって，片手で両方を持てるランチジャーがなかった。【０００３】
【特許文献】
【発明の開示】
【発明が解決しようとする課題】
【０００４】ハイキング，釣り，ハンティング，工事現場作業員等の昼食はせまい車中でとる事が多く，おかず入れの置場がせまく，まして後部座席では膝の上に置いたり極めて不安定であった。又船舶上ではおかず入れがすべったり，ひっくり返ったり，野外では地べたに置く等多くの難点があった。本発明はこれ等の課題を解決するためになされたものである。
【課題を解決するための手段】
【０００５】ランチジャーの本体１とおかず入れ４を一体化するために，１に可動式のリング５を取付け更に取手２を取付けた。  又可能なかぎり簡素化するためジャー本体の内側の器を省き飯を直接入れ，保温のふたも省略し，代りにおかず入れ４を断熱底６とした。
【発明の効果】
【０００６】せまい車中や，ゆれる船舶上や，おかず入れの置場に困る野外で，片手でランチジャーを保持し，安定した食事をとる事が出来る。  又ジャー内側の器と飯保温のふたを省いたため，従来の物よりかなり簡素化出来た。
以下，本発明の形態について説明する。
（イ）可動リング５を図２のように水平移動もしくは展開移動しおかず入れ４をはめる
（ロ）可動リングの接続部分は縦軸式と横軸式図２の２つの方法を採用した。
（ハ）ランチジャー本体１に取手２を取付けた。
（ニ）使い勝手が最も良いように取手２と可動リング５の位置は図２の（平面図）のように４５°の角度とした。
（ホ）ランチジャー本体に飯を直接入れ，おかず入れ４を断熱底６とした。
【実施例１】
【０００７】通常のランチジャーと同様ステンレスのマホービンの構造で，本体の底や，取手２，可動リング５，おかず入れ４等はプラスチック製とする。
【図面の簡単な説明】
【０００８】
【図１】本体の斜視図である。
【図２】可動リング取付部分の平面図と，側面図である。
【符号の説明】
【０００９】１  ランチジャー本体
２  取手
３  おかず入れのふた
４  おかず入れ
５  可動リング
６  おかず入れ断熱底
７  突起
【図１】
2006271989.tif 000003
【図２】
2006271989.tif 000004
(57)【要約】【課題】寝具に使われるシーツやカバーなどの布地を、布地に穴をあけずに部分的にとめる。【解決手段】布地のとめようとする部分を重ね合わせて、中央部のくびれた円柱状のクリップ芯を包み、この上から縦方向に開いた溝があり、内部にクリップ芯のくびれ部分にはまりこむくさび状突起を有する、円筒状のクリップ枠を被せることによって、布地の部分を相互にとめる。【選択図】図１
2006271974.tif 000002
【特許請求の範囲】
【請求項１】
ゴムあるいはプラスチックでつくられた円柱状のもので、中央部がくびれたクリップ芯を、相互にとめようとする布地の重ね合わせた部分で包み、この上に金属あるいはプラスチックでつくられた円筒状のもので、円筒軸方向に開いた溝を有し、さらに円筒内表面に突起を有する円筒状のクリップ枠をかぶせ、円筒内突起を布地越しにクリップ芯のくびれ部分にはめ込むことによってクリップ枠とクリップ芯相互の軸方向のずれを防ぎながらクリップ芯表面とクリップ枠胴部分の内部表面の間に合わせた布地をはさみこむことによって相互にとめるクリップ式布地留具。
【発明の詳細な説明】
【技術分野】
【０００１】  本発明は寝具として使われる、シーツや布団カバー、襟カバー、枕カバーなどの布地を部分的につないで固定する留具に関するものである。
【背景技術】
【０００２】  従来、シーツを敷布団に被せたり、掛布団に襟カバーをつけたりする際には、縫い糸で縫いつけてとめるか、あるいは安全ピンを使ってとめるのが普通であった。
【発明の開示】
【発明が解決しようとする課題】
【０００３】  縫い糸で布地を縫いつけるのは手間がかかり、とめた布地をはずす際にも鋏などで縫い糸を切り離す必要がある。【０００４】  縫い糸や安全ピンでとめる際には、糸や針で布地を貫通させるので、布地を強く引っ張ったりすると布地のとめた部分に大きな穴があくことがあり、安全ピンの場合にはピンが外れて針先が飛び出すこともあり危険である。【０００５】  本発明は、布地に穴をあけることなく、簡単な操作で布地の部分を重ね合わせてはさみこむことによって、布地を相互にとめることのできる、かさばらず安全なクリップ式留具を提供しようとするものである。
【課題を解決するための手段】
【０００６】  本発明のクリップは、円柱状のクリップ芯と、円筒軸方向に溝を設けた円筒状のクリップ枠からなり、布地の重ねあわされた部分をクリップ芯とクリップ枠の間ではさみこむことによって布地を相互にとめることができる。【０００７】  クリップ芯の中央部はくびれており、円筒状のクリップ枠の内部には、中央部の溝の両側からくさび状の突起物が、クリップ枠の中に入ったクリップ芯のくびれ部分を抱え込むように張り出していて、布をとめた際にクリップ枠とクリップ芯が相互に軸方向にずれないようになっている。
【発明の効果】
【０００８】  本発明のクリップは簡単な操作によって、布地のとめようとする部分をしっかり固定することができ、クリップにはとがった部分が無いので身体に触れても安全であり、布地のとめた部分に強い力が加わっても布地に穴をあけることはない。
【発明を実施するための最良の形態】
【０００９】    発明の実施の形態を実施例にもとづき図面を参照して説明する。
（イ）本発明のクリップは、中央部のくびれた円柱状のクリップ芯（１）と、クリップ芯の円柱外径より大きい内径を有し、円筒軸方向に溝（４）を設けた円筒状のクリップ枠（３）からなる。
（ロ）クリップ枠（３）の縦方向の溝（４）は、両端部で大きく開きながら開口するようにし、クリップ枠両端末の溝の開口部に相対する部分は、溝の開口部と合わせたくぼみ（５）を設けてある。
（ハ）クリップ枠の中央部内側には、縦方向に開いた溝の両側から円筒内部に向かって、くさび状断面を有する突起（６）が、クリップ枠（３）をクリップ芯（１）に被せた際に、クリップ芯のくびれ部分（２）を抱え込むような位置に設けられている。
（ニ）クリップ枠の中央部外側には、指によるクリップ枠の円筒軸方向移動を容易にするために、枠の外部表面から盛り上がった指かけ部（７）が設けられている。
（ホ）布地をはさんでクリップ芯の上にクリップ枠を被せた際には、クリップ枠の内部のくさび状突起（６）が、布地越しにクリップ芯のくびれ部分（２）にはまりこみ、クリップ芯とクリップ枠相互の軸方向ずれを防止している。
本発明は以上のような構成で、これを使用する時には、相互にとめようとする布地の部分（８）を重ね合わせて、クリップ芯（９）に被せ、布地がクリップ芯の胴部分全体を隙間無く覆うように、クリップ芯下部の布地部分（１０）を手の指ではさみこみ、この布地部分がクリップ枠（３）の溝（４）に入るように、クリップ枠（３）をスライドさせながら、クリップ枠内のくさび状突起（６）を布地越しにクリップ芯のくびれた部分（２）にはまりこませることによって布地の部分を相互にとめる（図４）。
【図面の簡単な説明】
【００１０】
【図１】本発明の斜視図
【図２】本発明の平面図
【図３】本発明の正面図
【図４】本発明の使用方法を示す図
【符号の説明】
【００１１】    １    クリップ芯
２    クリップ芯のくびれ部分
３    クリップ枠
４    クリップ枠の溝部分
５    クリップ枠端末のくぼみ部分
６    くさび状突起
７    指かけ部
８    とめようとする布地
９    布地で包んだクリップ芯
１０    クリップ下部の布地部分
【図１】
2006271974.tif 000003
【図２】
2006271974.tif 000004
【図３】
2006271974.tif 000005
【図４】
2006271974.tif 000006
(57)【要約】【課題】ホテルのベッドメイクを行うとき、早く簡単に効率の良いメイク作業ができるよう小型で便利な、かけ布団カバー簡単取付け具を提供する。【解決手段】中空軸１の上部左右にクリップ２を設け、中空軸の左右間をつなぐ伸縮パイプステ−３を設け、中空軸を支えるローラキャスター付きたたみ型伸縮パイプステ−４を設けた組み合わせを特徴とする。【選択図】  図３
2006271931.tif 000002
【特許請求の範囲】
【請求項１】
（イ）中空軸上部左右（１）にクリップ（２）を設け、中空軸左右間をつなぐ伸縮パイプステ−（３）を設ける。
（ロ）中空軸左右（１）を支えるローラキャスター付きたたみ型伸縮パイプステ−（４）を設ける。
以上の構成よりなる、かけ布団カバー簡単取付け具。
【発明の詳細な説明】
【技術分野】
【０００１】この発明は、ホテルのベッドメイク作業時に、器具のメカ機能を利用してベッドメイクする、かけ布団カバー簡単取付け具に関するものである。
【背景技術】
【０００２】従来のホテルベッドメイク作業は、機械化を利用することのない、人の手だけによる作業状況の中、一人で行う布団のメイク作業は、ベッド回りを四方八方に動く、むだな動作と処理作業で、今日まで改善策も取らずにベッドメイクを行ってきた。
【発明が解決しようとする課題】
【０００３】従来は、次のような欠点があった。
（イ）ベッドメイク作業で、布団にカバーを付けるのに時間がかかり作業の効率性が悪かった。
（ロ）布団カバーを振り広げる時に、リネンの糸ほこりが客室内で舞っていた。
（ハ）人の削減に限界があった。
本発明は、以上のような欠点をなくすためになされたものである。
【課題を解決するための手段】
【０００４】中空軸上部左右（１）にクリップ（２）を設け、伸縮パイプステ−（３）を設け、中空軸を支えるたたみ型伸縮パイプステ−（４）を設けた組み合わせによる。
本発明は、以上の構成によりなる、かけ布団カバー簡単取付け具である。
【発明の効果】
【０００５】この作品は、小型軽量化により扱い等が簡単で、女性にも使いやすく便利である。
メイク作業は、メカ機能を利用して本体の手元で行うので、布団カバーの取り付け作業が従来と違い、動く動作も少なく手間を省いた手順で、早くスムーズなメイク作業ができるようになった。
そのために作業効率も上がり、ほこりの減少にもつながるメイク処理で、生産性も上がった。
このような構成です。だから、このように新しい「発明の効果」が生まれました。
【発明を実施するための最良の形態】
【０００６】以下、本発明を実施するための最良の形態について説明する。
中空軸（１）の上部左右に布団とカバーを止めるクリップ（２）を設け、中空軸左右を結ぶ伸縮パイプステ−（３）を設け、中空軸を支えるローラキャスター付きたたみ型伸縮パイプステ−（４）を設ける。
本発明は、以上のような構造でこれを使用するときは、一体型となった本体を、ベッド頭部に自立させて設置する。布団カバーを布団頭裾部にかぶせ、左右頭裾をクリップで止める。上下の伸縮パイプステーをベッド幅寄りまで伸ばす。布団にかぶさったカバー両裾を、布団に引き込めばカバーは付けられる。器具を撤去し仕上げに布団とカバーの四隅を調整すればよい。
【図面の簡単な説明】
【０００７】
【図１】  本発明のコンパクト時の正面図である。
【図２】  本発明の側面図である。
【図３】  本発明の斜視図である。
【符号の説明】
【０００８】  １中空軸    ２クリップ    ３伸縮パイプステ−    ４たたみ型伸縮パイプステ−
５回転軸ボルト    ６中空軸自立ロックピン    ７ローラキャスター
【図１】
2006271931.tif 000003
【図２】
2006271931.tif 000004
【図３】
2006271931.tif 000005
(57)【要約】【課題】従来、様式便器は男子小便を兼ねており、男子小便の為に開放部は大きく造ってある。その為に男女とも腰を掛ける場合は、開放部が大きい為に便座を用いて座り易くしていた。【解決手段】上部（１）スライド部分の便座を前にスライドさせる為、構造を（２）便座ベース部分と（１）便座スライド部分に分割し、（１）便座スライド部分と（２）便座ベース部分との間にスライド機能を持たせる事に依り、お尻の後部と便座本体との間にスペース確保が可能となり、煩わしさをなくした。【選択図】図１
2006271934.tif 000002
【特許請求の範囲】
【請求項１】
便座は固定部分とスライド部分で構成され、ベース（２）は便器本体に取付けし、上部（１）をスライドさせる機能を持たせた便座に関するものである。
【発明の詳細な説明】
【発明の詳細な説明】
【０００１】この発明は、便座を前にスライドをさせる機能を持たせた、便座である。
【背景技術】
【０００２】従来、洋式便器は、男子小便を兼ねており、男女とも腰を掛ける場合は、開放部が大きい為に便座を用いて座り易くし、用を足す為だけのものであった。
【発明者が解決しようとする課題】
【０００３】そのために、次のような欠点があった。
（イ）便座に掛け、用を足した後、拭き取る動作を行う場合、おしりをずらすか上げなければならないという煩わしさがあった。
本発明は、この欠点を解決するためになされたものである。
【課題を解決するための手段】
【０００４】上部（１）便座を前にスライドさせるため、構造を（２）便座ベース部分と、（１）便座スライド部分に分割し、（１）便座スライド部分と、（２）便座ベース部分との間にスライド機能を持たせる事に依り、お尻の後部と便座本体との間にスペース確保が可能となり、煩わしさをなくした。
【発明を実施するための最良の形態】
【０００５】  以下、本発明の実施の形態について説明する。
（イ）既存洋式便器に（２）便座ベース部分を取付けた後、（１）便座スライド部分を取付ける。
（ロ）スライド機能を持つ（２）便座ベース部分が固定される事に依り、用便を達した後、（１）便座スライド部分を前にスライドさせ、お尻の後部に拭取りスペースを確保する事により拭取りが容易になる。
（ハ）拭取り動作が終了後、腰を持ち上げる事に依り、（１）便座スライド部分は自動的に元に戻る機能である。
【発明の効果】
【０００６】用を足した後、おしりを上げずに座ったまま拭き取ることが出来る為、お年寄り、下半身に障害を持った方でも無理なく拭き取ることが出来き、介護にあたる方の負担も軽減される。
【図面の簡単な説明】
【図１】本発明の平面図
【図２】本発明の立面図
【図３】本発明の斜視図
【符号の説明】
（１）  便座スライド部分
（２）  便座ベース部分
【図１】
2006271934.tif 000003
【図２】
2006271934.tif 000004
【図３】
2006271934.tif 000005
(57)【要約】      （修正有）【課題】春さきの花粉時期にマスクをしたり、薬を飲んだりするが、鼻の中についた花粉をきれいに流したいといつも思っていた。そのために鼻に水を吸い込もうとしたり、シャワーで鼻の中に水を入れようとしたが、なかなかうまくいかない。そこで、鼻の中に直接入るシャワーを提供する。【解決手段】注射器の先端部分４の従来の穴をふさぎ側面に小さな穴２をたくさんあけることによって鼻の中に入るシャワーとして使用できるようにする。【選択図】図２
2006271940.tif 000002
【特許請求の範囲】
【請求項１】
花粉症対策として、鼻の中を洗うこともひとつとしてあげられるが、鼻から水を吸って洗い流すのはなかなか難しく、なかなかうまく洗えない。そこで、プラスチックの注射器のふき出し口を従来の先端部分の先一か所ではなく、注射器先の棒状の部分の側面に小さな穴をたくさんあけシャワーのようになるようにして、鼻の中に付いた花粉を洗い流せるようにする。
【発明の詳細な説明】
【技術分野】
【０００１】本発明は、プラスチックの注射器の噴出し口をシャワー状にすることで、鼻の中に付着した花粉を洗い流すことに使用するものです。
【背景技術】
【０００２】花粉の時期になるといつも、鼻の中がもにょもにょして、花粉が鼻の粘膜に付いているのがわかるので、洗面所に行って手で水をすくい鼻の中に入れようとするのですが、そんなことではとても洗い流すなどという状態ではなく、以前鼻から水を吸い込み口から出すことして、花粉症が治ったと聞いたので吸おうとするのですが鼻の奥が痛いので、怖くて、吸い込むことができなかった。
【発明の開示】
【発明が解決しようとする課題】
【０００３】花粉症が鼻の中に水を吸い込み鼻の中を洗い流して治ったという話を聞いたことがあり、私自身も鼻の中のもにょもにょする感じは、花粉が付いていると思い、洗い流してすっきりしたいと思うのですが、どうしたら鼻の中をうまく洗えるのか考えました。
【課題を解決するための手段】
【０００４】前項で述べた問題点を解決するために注射器の液体が出る部分をふさいで液体の噴射口を注射器先端部４の側面小さな穴をたくさん開けることによって、注射器を押した時にシャワーのようになるようにする。
【発明の効果】
【０００５】このシャワーのようになる注射器ができることによって鼻の中に付着した花粉をきれいに洗い流すことができ、花粉症の症状をやわらげることができる。鼻のもにょもにょする感じで起こるくしゃみの連発も、この器具を使って鼻の中を洗い流すことによって収まります。
【実施例１】
【０００６】注射器の先端部分４の先に従来は液体が出る所があるのですが、その従来の出口をなくし先端部分４の側面に小さな穴をたくさんあけることによって、シャワーのようになるようにします。
【図面の簡単な説明】
【０００７】
【図１】  本発明の正面図である。
【図２】  本発明の立体図である。
【図３】  本発明の使用したときの図である。
【符号の説明】
【０００８】    １  注射器本体
２  小さな穴
３  ゴムパッキン
４  先端部分
５  水
【図１】
2006271940.tif 000003
【図２】
2006271940.tif 000004
【図３】
2006271940.tif 000005
(57)【要約】【課題】本発明は、タオルを洗濯して、洗濯後に、物干し竿やタオルハンガーに掛けて干したとき、強風または掛けたときの不均等の長さの違いのため、落下して、汚してしまうケースを、ときどき体験するが、それを、少しでも解決したくて、工夫したもので、タオルに、面ファスナーを設けたことを特徴とする面ファスナー付きタオルを提供する。【解決手段】  タオル（１）に、面ファスナー（２ａ）、（２ｂ）と面ファスナー（３ａ）、（３ｂ）を設けたことを特徴とする。【選択図】  図１
2006271932.tif 000002
【特許請求の範囲】
【請求項１】
タオル（１）に、面ファスナー（２ａ）、（２ｂ）と面ファスナー（３ａ）、（３ｂ）を設けたことを特徴とする面ファスナー付きタオル。
【発明の詳細な説明】
【技術分野】
【０００１】  本発明は、タオルを洗濯して、洗濯後に、物干し竿やタオルハンガーに掛けて干したとき、強風または掛けたときの不均等の長さの違いのため、落下して、汚してしまうケースを、ときどき体験するが、それを、少しでも解決したくて、工夫したもので、タオルに、面ファスナーを設けたことを特徴とする面ファスナー付きタオルに関するものである。
【背景技術】
【０００２】  従来、タオルには、落下を防止するために、タオル自体に付属部品などを付けたものはなかった。
【発明の開示】
【発明が解決しようとする課題】
【０００３】  それには、次のような問題点があった。
物干し竿やタオルハンガーに掛けて干したとき、強風または掛けたときの不均等の長さの違いのため、落下して、汚してしまっていた。
落下を防止するために、タオルクリップ、洗濯ピンチなどが必要になっていた。
【課題を解決するための手段】
【０００４】  タオル（１）に、面ファスナー（２ａ）、（２ｂ）と面ファスナー（３ａ）、（３ｂ）を設ける。以上のように構成された面ファスナー付きタオル。
【発明の効果】
【０００５】  物干し竿やタオルハンガーに掛けて干したとき、面ファスナー（２ａ）、（２ｂ）と面ファスナー（３ａ）、（３ｂ）で固定できるので、強風または掛けたときの不均等の長さの違いのため、落下することがない。
干すときに、手間がかからない。
タオルクリップ、洗濯ピンチなどが不要である。
タオル（１）に、面ファスナー（２ａ）、（２ｂ）と面ファスナー（３ａ）、（３ｂ）を設ける。
【発明を実施するための最良の形態】
【０００６】  以下、本発明を実施するための最良の形態を説明する。
タオル（１）に、面ファスナー（２ａ）、（２ｂ）を設ける。
タオル（１）に、面ファスナー（３ａ）、（３ｂ）を設ける。
以上のように構成された、面ファスナー付きタオルである。
本発明を使用するときは、物干し竿やタオルハンガーに掛けて干したとき、面ファスナー（２ａ）、（２ｂ）と面ファスナー（３ａ）、（３ｂ）で固定する。
それだけで、強風または掛けたときの不均等の長さの違いのため、落下を防止できる。
【図面の簡単な説明】
【０００７】
【図１】  本発明の平面図である。
【図２】  本発明の使用状態を示した説明図である。
【符号の説明】
【０００８】１    タオル
２ａ  面ファスナー
２ｂ  面ファスナー
３ａ  面ファスナー
３ｂ  面ファスナー
【図１】
2006271932.tif 000003
【図２】
2006271932.tif 000004